(57)【要約】【課題】左右何れの手で把持することによっても、回転操作部の操作（チューブの先端偏向操作）を行うことができる制御ハンドルを提供すること。【解決手段】先端可撓部分１０Ａを有するシースチューブ１０の基端部分が内部に挿入されるハンドル本体２１と、ハンドル本体２１に対して回転可能に設けられ、これを操作することによってシースチューブ１０の先端可撓部分１０Ａを撓ませて当該シースチューブ１０の先端を偏向させる回転板２２と、ハンドル本体２１の基端に設けられた止血弁２３とを備えてなり、ハンドル本体２１は、回転板２２の基端側に位置する第１グリップ部２１１と、回転板２２の先端側に位置する第２グリップ部２１３とを有している。【選択図】    図１
2013192691.tif 000002
【特許請求の範囲】
【請求項１】
先端可撓部分を有するチューブの基端部分が内部に挿入されるハンドル本体と、前記ハンドル本体に対して回転可能に設けられ、これを操作することにより前記チューブの先端可撓部分を撓ませて当該チューブの先端を偏向させる回転操作部とを備えてなり、
前記ハンドル本体は、前記回転操作部の基端側に位置する第１グリップ部と、前記回転操作部の先端側に位置する第２グリップ部とを有していることを特徴とする医療用チューブの制御ハンドル。
【請求項２】
先端可撓部分を有するシースチューブの基端部分が内部に挿入されるハンドル本体と、前記ハンドル本体に対して回転可能に設けられ、これを操作することによって前記シースチューブの先端可撓部分を撓ませて当該シースチューブの先端を偏向させる回転操作部と、前記ハンドル本体の基端に設けられ、当該ハンドル本体の内部において前記シースチューブの基端が連結される止血弁とを備えてなることを特徴とする請求項１に記載の医療用チューブの制御ハンドル。
【請求項３】
前記第１グリップおよび前記第２グリップが互いに同様の形状を有していることを特徴とする請求項１または請求項２に記載の制御ハンドル。
【請求項４】
前記第１グリップおよび前記第２グリップは前記回転操作部の位置する中央に向かって縮径していることを特徴とする請求項１乃至請求項３の何れかに記載の制御ハンドル。
【請求項５】
前記回転操作部は、前記ハンドル本体の長手方向に直交する軸の周りを回転可能であることを特徴とする請求項１乃至請求項４の何れかに記載の制御ハンドル。
【請求項６】
前記回転操作部は、前記ハンドル本体の長手方向の軸の周りを回転可能であることを特徴とする請求項１乃至請求項４の何れかに記載の制御ハンドル。
【請求項７】
請求項１乃至請求項６の何れかに記載の制御ハンドルと、
先端可撓部分を有し、前記制御ハンドルのハンドル本体の内部に基端部分が挿入されたチューブとを備えてなることを特徴とする医療用チューブの導入装置。
【発明の詳細な説明】
【技術分野】
【０００１】
本発明は医療用チューブの制御ハンドルおよびこれを備えた医療用チューブの導入装置に関する。
【背景技術】
【０００２】
従来、カテーテルなどの長尺の医療器具を患者の体内に挿入する際に、シースチューブ（ステアラブルシース）を先行して体内に導入して、この医療器具の挿通路を確保することが行われている。
【０００３】
シースチューブを体内に導入するための装置（シース導入装置）として、下記特許文献１には、偏向可能な部分および内腔を有するシャフト（シース）と、偏向用組立品（回転操作部）を有する制御ハンドルと、偏向可能な部分と制御ハンドルとの間を延びる引張部材とを含むシース誘導機器が開示されている。
【０００４】
図６は、従来公知のシース導入装置を示す平面図である。同図に示すシース導入装置は、先端可撓部分６０Ａを有するシースチューブ６０と、このシースチューブ６０の基端部分が内部に挿入された（シースチューブ６０の基端側に接続された）制御ハンドル７０と、この制御ハンドル７０に接続され、シースチューブ６０の内孔と連通する内孔を有する枝管（サイドアーム）７５と、この枝管７５に装着された三方活栓７６とを備えている。      
【０００５】
シース導入装置を構成する制御ハンドル７０は、ハンドル本体７１（グリップ部）と、このハンドル本体７１の先端側に位置する回転板７２（回転操作部）と、ハンドル本体７１の基端側に設けられた止血弁７３と、回転板７２の先端側に位置するストレインリリーフ７４とを備えている。
この制御ハンドル７０（ハンドル本体７１）の内部には、シースチューブ６０の基端部分が挿入されており、シースチューブ６０の基端は、止血弁７３に連結されている。
制御ハンドル７０の回転板７２を操作することにより、シースチューブ６０の先端可撓部分６０Ａが撓み、この結果、シースチューブ６０の先端を偏向させることができる。
【０００６】
図６に示したようなシース導入装置を用いてシースチューブ６０を体内に導入する方法としては、図示しないダイレータとともにシースチューブ６０を患者の血管内に挿入し、先行して挿入されているガイドワイヤに沿って目的部位（患部）に向けて移動させる。
ここに、シースチューブ６０の導入操作は、制御ハンドル７０の回転板７２を適宜操作しながら（シースチューブ６０の先端を適宜偏向させながら）行われる。
そして、シースチューブ６０の先端開口を目的部位（患部）の近傍に到達させた後に、ガイドワイヤおよびダイレータを抜去する。これにより、シースチューブ６０の先端部分が患者の体内に留置される。
【０００７】
このようにして体内に導入されたシースチューブ６０を利用してカテーテルシャフトを体内に挿入する方法としては、図７に示すように、カテーテルシャフト８０の先端を制御ハンドル７０の基端（止血弁７３）からシースチューブ６０の内孔に挿入し、この内孔に沿ってカテーテルシャフト８０を移動させ、シースチューブ６０の先端開口からカテーテルシャフト８０の先端可撓部分８０Ａを延び出させる。
【０００８】
ここに、カテーテルシャフト８０の挿入操作は、カテーテルシャフト８０の基端に接続されている制御ハンドル９０の回転板９２（回転操作部）を適宜操作しながら（カテーテルシャフト８０の先端を適宜偏向させながら）行われる。
【０００９】
次に、制御ハンドル９０の回転板９２を操作して、先端可撓部分８０Ａを撓ませることによって、カテーテルシャフト８０の先端部（例えば、電極カテーテルにおける電極）を目的部位（患部）に位置させる。
【００１０】
回転板９２の操作（カテーテルシャフト８０の先端偏向操作）は、例えば、図８に示すように、制御ハンドル９０のハンドル本体９１を右手（利き手）で把持した状態で、右手の親指および人指し指により行われる。
【先行技術文献】
【特許文献】
【００１１】
【特許文献１】特開２０１０−１５５０８１号公報
【発明の概要】
【発明が解決しようとする課題】
【００１２】
図７に示した状態、すなわち、ハンドル本体７１の内部にその基端部分が挿入されているシースチューブ６０の内孔に、ハンドル本体７１の基端（止血弁７３）から挿入させたカテーテルシャフト８０におけるその先端可撓部分８０Ａを、シースチューブ６０の先端開口から延び出させた状態において、カテーテルシャフト８０の先端部を目的部位に位置させるために、制御ハンドル９０の回転板９２を操作してカテーテルシャフト８０の先端可撓部分８０Ａを撓ませることに加え、制御ハンドル７０の回転板７２を操作してシースチューブ６０の先端可撓部分６０Ａを撓ませてシースチューブ６０の先端開口の位置などを変化（微調整）させたい場合がある。
【００１３】
しかしながら、図８に示すように、カテーテルシャフト８０の制御ハンドル９０のハンドル本体９１（グリップ部）を右手で把持して、右手の指で回転板９２を操作しているときには、シースチューブ６０の制御ハンドル７０のハンドル本体（グリップ部）７１を左手で把持しているため、ハンドル本体７１の先端側（ハンドル本体７１を把持する左手の小指側）に位置する回転板７２を、左手の親指および人指し指で操作することはできない。
このため、制御ハンドル７０の回転板７２を操作するためには、シースチューブ６０に係るハンドル本体７１を右手に持ち替えて（カテーテルシャフト８０に係るハンドル本体９１を左手に持ち替えて）右手の親指および人指し指で操作しなければならない。
【００１４】
然るに、制御ハンドルを持ち替える操作は煩雑であり、また、制御ハンドルを持ち替えたときに、カテーテルシャフト８０の先端部が位置ずれを起こすこともある。
更に、カテーテルシャフト８０の先端偏向操作と、シースチューブ６０の先端偏向操作とを同時に（あるいは交互に）実施できることが、熟練したオペレータによって要請されるが、図６〜図８に示したようなシース導入装置を使用し、図８に示したようにハンドル本体７１を、左手を順手にして把持する場合には、制御ハンドル９０の回転板９２によるカテーテルシャフト８０の先端偏向操作と、制御ハンドル７０の回転板７２によるシースチューブ６０の先端偏向操作とを同時（あるいは交互に）に行うことはできない。
なお、左手を逆手にしてハンドル本体７１を把持して先端偏向操作することは可能であるが、操作が困難であり、また操作を誤る場合もある。
【００１５】
本発明は以上のような事情に基いてなされたものである。
本発明の第１の目的は、左右何れの手で把持することによっても、回転操作部の操作（チューブの先端偏向操作）を行うことができる制御ハンドルを提供することにある。
本発明の第２の目的は、カテーテルなどの長尺の医療器具の先端偏向操作を行った後であっても、この医療器具に先行して体内に導入させたチューブの先端偏向操作を、制御ハンドルを持ち替えることなく実施することができる医療用チューブの制御ハンドルを提供することにある。
本発明の第３の目的は、カテーテルなどの長尺の医療器具の先端偏向操作と、この医療器具に先行して体内に導入させたチューブの先端偏向操作とを同時または交互に実施することができる医療用チューブの制御ハンドルを提供することにある。
本発明の第４の目的は、左右何れの手で制御ハンドルを把持することによっても、回転操作部の操作を行うことができ、カテーテルなどの長尺の医療器具の先端偏向操作を行った後または先端偏向操作を行っているときであっても、制御ハンドルを持ち替えることなくチューブの先端偏向操作を実施することができる医療用チューブの導入装置を提供することにある。
【課題を解決するための手段】
【００１６】
（１）本発明の医療用チューブの制御ハンドルは、先端可撓部分を有するチューブの基端部分が内部に挿入されるハンドル本体と、前記ハンドル本体に対して回転可能に設けられ、これを操作することにより前記チューブの先端可撓部分を撓ませて当該チューブの先端を偏向させる回転操作部とを備えてなり、
前記ハンドル本体は、前記回転操作部の基端側に位置する第１グリップ部と、前記回転操作部の先端側に位置する第２グリップ部とを有していることを特徴とする。
【００１７】
このような構成を有する本発明の制御ハンドルによれば、左右何れか一方の手でハンドル本体の第１グリップ部を把持することにより、当該一方の手の親指および人指し指で回転操作部を操作して、当該チューブの先端偏向操作を行うことができる。
また、左右何れか他方の手でハンドル本体の第２グリップ部を把持することによれば、当該他方の手の親指および人指し指で回転操作部を操作して、当該チューブの先端偏向操作を行うことができる。
すなわち、この制御ハンドルによれば、左右何れの手でハンドル本体を把持する場合であっても、把持するグリップを選択することにより、回転操作部を操作してチューブの先端偏向操作を行うことができる。
【００１８】
（２）本発明の医療用チューブの制御ハンドルにおいては、先端可撓部分を有するシースチューブの基端部分が内部に挿入されるハンドル本体と、前記ハンドル本体に対して回転可能に設けられ、これを操作することによって前記シースチューブの先端可撓部分を撓ませて当該シースチューブの先端を偏向させる回転操作部と、前記ハンドル本体の基端に設けられ、当該ハンドル本体の内部において前記シースチューブの基端が連結される止血弁とを備えてなることが好ましい。
【００１９】
このような構成を有する本発明の制御ハンドルによれば、カテーテルなどの長尺の医療器具の制御ハンドルのハンドル本体（グリップ部）を一方の手で把持し、その先端側に位置する回転操作部を当該一方の手の親指および人指し指で操作（医療器具の先端偏向操作）しているときに、本発明の制御ハンドルのハンドル本体（第２グリップ部）を他方の手で把持することにより、その基端側に位置する回転操作部を当該他方の手の親指および人指し指で操作（シースチューブの先端偏向操作）することができる。
【００２０】
（３）本発明の医療用チューブの制御ハンドルにおいては、前記第１グリップおよび前記第２グリップが互いに同様の形状を有していることが好ましい。
ここに「互いに同様の形状」とは、両者の形状（寸法）が完全に同一であるほか、両者の形状がほぼ同一である場合も含まれる。
例えば、第１グリップが円柱状であるときに第２グリップも円柱状である場合、または第１グリップが矩形（角柱状）であるときに第２グリップも矩形（角柱状）である場合に、両者の長さが多少異なっていても、両者は互いに同様の形状を有するものである。
このような構成を有する本発明の制御ハンドルによれば、第１グリップおよび第２グリップの何れを把持したときも同様の操作感を得ることができる。
【００２１】
（４）本発明の医療用チューブの制御ハンドルにおいては、前記第１グリップおよび前記第２グリップは前記回転操作部の位置する中央に向かって縮径していることが好ましい。  このような構成を有する本発明の制御ハンドルによれば、第１グリップおよび第２グリップの何れを把持したときも、当該グリップを握りやすく、回転操作部をスムーズに操作することができる。
【００２２】
（５）本発明の医療用チューブの制御ハンドルにおいて、前記回転操作部は、前記ハンドル本体の長手方向に直交する軸の周りを回転可能であることが好ましい。
【００２３】
（６）本発明の医療用チューブの制御ハンドルにおいて、前記回転操作部は、前記ハンドル本体の長手方向の軸の周りを回転可能であってもよい。
【００２４】
（７）本発明の医療用チューブの導入装置は、上記（１）〜（６）の何れかの制御ハンドルと、
先端可撓部分を有し、前記制御ハンドルのハンドル本体の内部に基端部分が挿入されたチューブとを備えてなることを特徴とする。
【発明の効果】
【００２５】
本発明の制御ハンドルによれば、左右何れの手で制御ハンドル（ハンドル本体）を把持しても、回転操作部の操作（チューブの先端偏向操作）を行うことができる。
また、カテーテルなどの長尺の医療器具の先端偏向操作を行った後であっても、この医療器具に先行して体内に導入させたチューブの先端偏向操作を、当該チューブの制御ハンドルを持ち替えることなく実施することができる。
さらに、カテーテルなどの長尺の医療器具の先端偏向操作と、この医療器具に先行して体内に導入させたチューブの先端偏向操作とを同時または交互に実施すことができる。
【００２６】
本発明の医療用チューブの導入装置によれば、左右何れの手で制御ハンドルを把持することによっても、回転操作部の操作を行うことができ、カテーテルなどの長尺の医療器具の先端偏向操作を行った後、または行っているときであっても、制御ハンドルを持ち替えることなくチューブの先端偏向操作を実施することができる。
【図面の簡単な説明】
【００２７】
【図１】本発明の一実施形態に係る制御ハンドルを備えた医療用チューブの導入装置（シース導入装置）を示す平面図である。
【図２】図１に示したシース導入装置を構成する制御ハンドル（本発明の一実施形態に係る制御ハンドル）を示す斜視図である。
【図３】図１で示したシース導入装置を構成するシースチューブの内孔にカテーテルシャフトが挿通されている状態を示す平面図である。
【図４】図１で示したシース導入装置を構成する制御ハンドル（本発明の一実施形態に係る制御ハンドル）の回転操作部およびカテーテルシャフトの制御ハンドルの回転操作部を操作している状態を示す平面図である。
【図５】本発明の他の実施形態に係る制御ハンドルを示す斜視図である。
【図６】従来公知のシース導入装置を示す平面図である。
【図７】図６で示したシース導入装置を構成するシースチューブの内孔にカテーテルシャフトが挿通されている状態を示す平面図である。
【図８】図７で示した状態において、カテーテルシャフトの制御ハンドルの回転操作部を操作している状態を示す平面図である。
【発明を実施するための形態】
【００２８】
以下、本発明について図面を用いて詳細に説明する。
＜第１実施形態＞
図１〜図４に示す医療用チューブの導入装置（シース導入装置）１００は、カテーテルシャフト８０を患者の体内に挿入する際に、これに先行してシースチューブ１０を体内に導入するための装置である。このシース導入装置１００は、シースチューブ１０と、制御ハンドル２０と、枝管（サイドアーム）３１と、三方活栓３２とを備えている。
【００２９】
シース導入装置１００を構成する制御ハンドル２０（本発明の制御ハンドル）は、先端可撓部分１０Ａを有するシースチューブ１０の基端部分が内部に挿入されるハンドル本体２１と、このハンドル本体２１に対して回転可能に設けられ、これを操作することにより先端可撓部分１０Ａを撓ませてシースチューブ１０の先端を偏向させる回転板２２（回転操作部）と、ハンドル本体２１の基端側に設けられ、ハンドル本体２１の内部においてシースチューブ１０の基端が連結される止血弁２３とを備えてなり、ハンドル本体２１は、回転板２２の基端側に位置する第１グリップ部２１１と、回転板２２の先端側に位置する第２グリップ部２１２とを有している。
【００３０】
シース導入装置１００を構成するシースチューブ１０の先端領域は先端可撓部分１０Ａとなっている。ここに、「先端可撓部分」とは、回転操作部を操作することにより撓む（曲がる）ことのできるチューブの先端部分をいう。
【００３１】
シースチューブ１０は、例えばポリオレフィン、ポリアミド、ポリエーテルポリアミド、ポリウレタンなどの合成樹脂からなる中空のチューブ部材によって構成されている。
シースチューブ１０の外径は、通常２．０〜５．０ｍｍとされ、好ましくは２．６〜４．３ｍｍとされる。また、シースチューブ１０の内径は、通常１．６〜４．３ｍｍとされ好ましくは２．０〜２．８ｍｍとされる。
シースチューブ１０の長さは、例えば５００〜８００ｍｍとされ、先端可撓部分１０Ａの長さは、例えば２０〜１５０ｍｍとされる。
【００３２】
シース導入装置１００を構成する制御ハンドル２０は、ハンドル本体２１と、回転板２２と、止血弁２３とを備えてなる。
【００３３】
制御ハンドル２０のハンドル本体２１の内部にはシースチューブ１０の基端部分が挿入されている。
制御ハンドル２０の回転板２２は、ハンドル本体２１に対して、このハンドル本体２１の長手方向に直交する軸の周りを回転可能に設けられている。
【００３４】
シースチューブ１０の内部には、先端可撓部分１０Ａを第１方向（図１の矢印Ａで示す方向）に撓ませるための不図示の第１操作用ワイヤと、先端可撓部分１０Ａを第２方向（図１の矢印Ｂで示す方向）に撓ませるための不図示の第２操作用ワイヤとが延在している。
第１操作用ワイヤおよび第２操作用ワイヤの各々の先端は、シースチューブ１０の先端部に接続固定されている。
一方、第１操作用ワイヤおよび第２操作用ワイヤの各々の後端は、制御ハンドル２０の回転板２２に接続されることにより引張操作可能になっている。
【００３５】
回転板２２を、図１に示すＡ１方向に回転させると、第１操作用ワイヤが引っ張られることにより、先端可撓部分１０Ａが第１方向（図１の矢印Ａで示す方向）に撓んでシースチューブ１０の先端が第１方向に偏向する。
また、回転板２２を、図１に示すＢ１方向に回転させると、第２操作用ワイヤが引っ張られることにより、先端可撓部分１０Ａが第２方向（図１の矢印Ｂで示す方向）に撓んでシースチューブ１０の先端が第２方向に偏向する。
なお、制御ハンドル２０を、長手方向の軸の周りに回転させることにより、制御ハンドル２０に対するＡ方向およびＢ方向の向きを自由に設定することができる。
【００３６】
本実施形態では、制御ハンドル２０のハンドル本体２１が、回転板２２（回転操作部）の両側に配置された２つのグリップ部（基端側に位置する第１グリップ２１１および先端側に位置する第２グリップ２１２）により構成されている点に特徴を有する。
【００３７】
このように回転板２２の両側にグリップを有する制御ハンドル２０によれば、左右何れか一方の手（例えば右手）でハンドル本体２１の第１グリップ部２１１を把持することにより、当該一方の手（例えば右手）の親指および人指し指で回転板２２を操作すること（シースチューブ１０の先端偏向操作を行うこと）ができる。
また、左右何れか他方の手（例えば左手）でハンドル本体２１の第２グリップ部２１２を把持することにより、当該他方の手（例えば左手）の親指および人指し指で回転板２２を操作すること（シースチューブ１０の先端偏向操作を行うこと）ができる。
すなわち、この制御ハンドル２０によれば、左右何れの手でハンドル本体２１を把持する場合であっても、回転板２２が親指側に位置するように把持できる方のグリップを選択することにより、このグリップを把持した手の親指および人指し指で回転板２２を操作してシースチューブ１０の先端偏向操作を行うことができる。
【００３８】
ハンドル本体２１を構成する第１グリップ２１１および第２グリップ２１２は、互いに同様の形状を有している。
これにより、何れのグリップを把持して回転板２２を操作する場合においても、同様の操作感を得ることができる。
また、第１グリップ２１１および第２グリップ２１２は、何れも回転板２２の位置する中央に向かって縮径している。これにより、何れのグリップを把持して回転板２２を操作する場合においても、グリップが握りやすく、回転板２２をスムーズに操作することができる。
【００３９】
ハンドル本体２１（第１グリップ部２１１）の基端に設けられた止血弁２３は液密性を有し、ハンドル本体２１の内部において、その基端が止血弁２３に連結しているシースチューブ１０の内孔に存在する液体（血液や枝管３１から供給される薬液など）が制御ハンドル２０の基端から外部に漏出することを防止することができる。
この止血弁２３は、例えば、両面を貫通するスリットが形成されたエラストマーシートからなる。
【００４０】
シース導入装置１００を構成する枝管３１の内孔は、シースチューブ１０の内孔と連通しており、枝管３１から供給される薬液などは、シースチューブ１０の内孔を通って体内に供給することができる。
【００４１】
本実施形態のシース導入装置１００により、これを構成するシースチューブ１０を患者の体内に導入することができる。
シースチューブ１０の導入方法としては、シースチューブ１０の内孔にダイレータ（図示せず）を挿入し、ダイレータと一体化させたシースチューブ１０を患者の血管内に挿入し、制御ハンドル２０の回転板２２によって先端偏向操作を行いながら、予め挿入されているガイドワイヤに沿ってシースチューブ１０を目的部位（患部）に向けて移動させる。シースチューブ１０の先端開口が目的部位（患部）の近傍に到達したところで、ダイレータおよびガイドワイヤを抜去する。これにより、シースチューブ６０の先端部分が患者の体内に留置される。
【００４２】
このようにして体内に導入されたシースチューブ１０を利用してカテーテルシャフトを体内に挿入することができる。
カテーテルシャフトの挿入方法としては、図３に示すように、カテーテルシャフト８０の先端を制御ハンドル２０の基端（止血弁２３）からシースチューブ１０の内孔に挿入し、制御ハンドル９０の回転板９２によって先端偏向操作を行いながら、シースチューブ１０の内孔に沿ってカテーテルシャフト８０を移動させ、シースチューブ１０の先端開口からカテーテルシャフト８０の先端可撓部分８０Ａを延び出させる。
【００４３】
次に、制御ハンドル９０の回転板９２を操作して先端可撓部分８０Ａを撓ませることによりカテーテルシャフト８０の先端を偏向させるとともに、必要に応じて、制御ハンドル２０の回転板２２を操作して先端可撓部分１０Ａを撓ませることによってシースチューブ１０の先端を偏向させる。これにより、カテーテルシャフト８０の先端部（例えば、電極カテーテルにおける電極）の位置が調整され、これを目的部位（患部）に到達させることができる。
【００４４】
図４に示すように、カテーテルシャフト８０の先端を偏向させるための回転板９２の操作は、制御ハンドル９０のハンドル本体９１を把持する右手の親指および人指し指によって行われ、シースチューブ１０の先端を偏向させるための回転板２２の操作は、制御ハンドル２０の第２グリップ２１２を把持する左手の親指および人指し指により行われる。
これにより、カテーテルシャフト８０の先端偏向操作を実施した後であっても、制御ハンドル２０を右手に持ち替えることなく、シースチューブ１０の先端偏向操作を実施することができ、カテーテルシャフト８０の先端偏向操作と、シースチューブ１０の先端偏向操作とを、同時または交互に実施すことができる。
【００４５】
上記のようにしてカテーテルシャフト８０の先端部が位置決めされた後、カテーテルによる手技（診断・治療）が行われる。
カテーテルによる手技の終了後、カテーテルシャフト８０が体内から抜去され、次いで、シースチューブ１０が体内から抜去される。
【００４６】
＜第２実施形態＞
図５は、本発明の他の実施形態に係る制御ハンドルを示す。
この制御ハンドル２５は、シースチューブ１０の基端部分が内部に挿入されるハンドル本体２６と、このハンドル本体２６に対して回転可能に設けられ、これを操作することによってシースチューブ１０の先端可撓部分を撓ませてシースチューブ１０の先端を偏向させる回転操作部２７と、ハンドル本体２６の基端に設けられ止血弁２３とを備えてなる。同図において、第１実施形態と同様の構成要素については同一の符号を付している。
【００４７】
制御ハンドル２５を構成する回転操作部２７は、ハンドル本体２６の長手方向の軸の周りを回転可能に設けられている。
回転操作部２７を、図５に示すａ１方向に回転させると、シースチューブ１０の先端可撓部分が第１方向に撓んで、シースチューブ１０の先端が第１方向に偏向する。
また、回転操作部２７を、図５に示すｂ１方向に回転させると、シースチューブ１０の先端可撓部分が第１方向とは反対の第２方向に撓んで、シースチューブ１０の先端が第２方向に偏向する。
【００４８】
制御ハンドル２５を構成するハンドル本体２６は、回転操作部２７の基端側に位置する第１グリップ部２６１と、回転操作部２７の先端側に位置する第２グリップ部２６２とを有している。
【００４９】
このように回転操作部２７の両側にグリップを有する制御ハンドル２５によれば、左右何れか一方の手（例えば右手）でハンドル本体２６の第１グリップ部２６１を把持することにより、当該一方の手（例えば右手）の親指および人指し指で回転操作部２７を操作する（シースチューブ１０の先端偏向操作を行う）ことができる。
【００５０】
また、左右何れか他方の手（例えば左手）でハンドル本体２６の第２グリップ部２６２を把持することにより、当該他方の手（例えば左手）の親指および人指し指で回転操作部２７を操作する（シースチューブ１０の先端偏向操作を行う）ことができる。
この結果、左右何れの手でハンドル本体２６を把持することによっても、回転操作部２７が親指側に位置するように把持できる方のグリップを選択することにより、このグリップを把持した手の親指および人指し指で回転操作部２７を操作してシースチューブ１０の先端偏向操作を行うことができる。
【００５１】
以上、本発明の実施形態について説明したが、本発明はこれらに限定されるものではなく、種々の偏向が可能である。
また、本発明の制御ハンドルが装着されるチューブは、シースチューブに限定されず、診断・治療などに直接使用されるカテーテルシャフトであってもよい。
【符号の説明】
【００５２】
１００  シース導入装置
１０  シースチューブ
１０Ａ  先端可撓部分
２１  ハンドル本体
２２  回転板（回転操作部）
２３  止血弁
２１１  第１グリップ部
２１２  第２グリップ部
２５  制御ハンドル
２６  ハンドル本体
２７  回転操作部
２６１  第１グリップ部
２６２  第２グリップ部
３１  枝管（サイドアーム）
３２  三方活栓
８０  カテーテルシャフト
８０Ａ  先端可撓部分
９０  制御ハンドル
９１  ハンドル本体
９２  回転板（回転操作部）
【図１】
2013192691.tif 000003
【図２】
2013192691.tif 000004
【図３】
2013192691.tif 000005
【図４】
2013192691.tif 000006
【図５】
2013192691.tif 000007
【図６】
2013192691.tif 000008
【図７】
2013192691.tif 000009
【図８】
2013192691.tif 000010